(57)【要約】【課題】各種音響機器に使用されるスピーカに関し、円形のボイスコイルを用いると分割共振が発生するという課題を解決し、優れた音質の音響再生を行うことができるスピーカを提供することを目的とする。【解決手段】ボイスコイル８を三角以上の多角形にした構成により、振動板７に伝播される振動速度ならびに振動モードが振動板７の場所によって異なるようになるために分割共振の発生を抑制することができるようになり、これにより平坦な音圧周波数特性を実現して優れた音質の音響再生を行うことができるようになる。【選択図】図１
2006261737.tif 000002
【特許請求の範囲】
【請求項１】
磁気ギャップを有する磁気回路と、この磁気回路を結合したフレームと、このフレームに外周が結合されると共に上記磁気ギャップに対応するボイスコイルを結合した振動板からなるスピーカにおいて、上記ボイスコイルを三角以上の多角形にしたスピーカ。
【請求項２】
多角形としたボイスコイルの角数を奇数にした請求項１に記載のスピーカ。
【請求項３】
多角形としたボイスコイルの各角部にＲを設けた請求項１に記載のスピーカ。
【請求項４】
振動板の外周を円形にした請求項１に記載のスピーカ。
【請求項５】
磁気回路に形成される磁気ギャップの形状をボイスコイルの形状に対応させるようにした請求項１に記載のスピーカ。
【発明の詳細な説明】
【技術分野】
【０００１】
本発明は各種音響機器や情報通信機器に使用されるスピーカに関し、特に、携帯電話等に適した小型で薄型のスピーカに関するものである。
【背景技術】
【０００２】
各種音響機器や情報通信機器の小型化、多機能化に伴ってこれらに使用されるスピーカも従来にも増して小型化が進み、特に携帯電話に使用されるスピーカにおいては小型化のみならず高音質化も要求されており、このような取り組みが盛んに行われている。
【０００３】
図５（ａ）、（ｂ）はこの種の従来のスピーカの構成を示した平面図と正面断面図であり、図５において、２０は磁気回路を示し、この磁気回路２０は壺形のヨーク２１内に円板状のマグネット２２とプレート２３を積層して結合することにより構成され、これにより円環状の磁気ギャップ２４を形成した磁気回路２０が構成されているものである。
【０００４】
２５は上記磁気回路２０が結合されたフレーム、２６は上記磁気回路２０に形成された磁気ギャップ２４に嵌まり込むボイスコイル、２７はこのボイスコイル２６を中心に結合した振動板、２７ａはこの振動板２７の周縁に設けられたエッジであり、このエッジ２７ａの外周が上記フレーム２５に結合されて構成されているものである。２８は振動板２７を保護するように設けられたカバーである。
【０００５】
このように構成された従来のスピーカは、小型・薄型でスリム化を図って携帯電話等に搭載されるようにしたものであった。
【０００６】
なお、この出願の発明に関連する先行技術文献情報としては、例えば、特許文献１が知られている。
【特許文献１】特開２００３−１３４５８５号公報
【発明の開示】
【発明が解決しようとする課題】
【０００７】
しかしながら上記従来のスピーカでは、円環状のボイスコイル２６と振動板２７が同心円で相似形状となるために、振動板２７に伝播される振動速度が振動板２７のどの場所においても一定となって振動モードが同一となってしまうため、５〜１０ｋＨｚ付近に分割共振が発生して音圧周波数特性が乱れ、音質が劣化してしまうという課題があった。
【０００８】
なお、この課題を解決するために、振動板の外周部の形状を変化させて円形以外にしたり、あるいは振動板の一部を部分的に肉厚や密度を変化させるという提案もなされているが、これらは抜本的な解決策にはならないばかりでなく、コストアップの要因になるという課題があった。
【０００９】
本発明はこのような従来の課題を解決し、分割共振の発生を抑制して音圧周波数特性を平坦化し、優れた音質の音響再生を行うことができるスピーカを提供することを目的とするものである。
【課題を解決するための手段】
【００１０】
上記課題を解決するために本発明は、磁気ギャップを有する磁気回路と、この磁気回路を結合したフレームと、このフレームに外周が結合されると共に上記磁気ギャップに対応するボイスコイルを結合した振動板からなるスピーカにおいて、上記ボイスコイルを三角以上の多角形にした構成のものである。
【発明の効果】
【００１１】
以上のように本発明によるスピーカは、ボイスコイルの形状を多角形にしたことにより、振動板に伝播される振動速度ならびに振動モードが振動板の場所によって異なるようになるために分割共振の発生を抑制することができるようになり、これにより平坦な音圧周波数特性を実現して優れた音質の音響再生を行うことができるようになるという効果が得られるものである。
【発明を実施するための最良の形態】
【００１２】
（実施の形態１）
以下、実施の形態１を用いて、本発明の特に全請求項に記載の発明について説明する。
【００１３】
図１は本発明の実施の形態１によるスピーカの構成を示した断面図、図２は同スピーカに使用されるボイスコイルを振動板に結合した状態を示した平面図である。
【００１４】
図１、図２において、４は磁気回路を示し、この磁気回路４はヨーク３の内底面にマグネット１とプレート２を積層して結合することにより構成され、これにより磁気ギャップ５を形成した磁気回路４が構成されているものである。
【００１５】
６は上記磁気回路４が結合されたフレーム、７はこのフレーム６に外周が結合された振動板、８はこの振動板７の中心に結合されると共に、上記磁気回路４に形成された磁気ギャップ５内に嵌まり込んだボイスコイルである。
【００１６】
また、上記振動板７は円形に形成され、またボイスコイル８は五角形に形成されて振動板７の中心に結合されており、このような構成にすることによりボイスコイル８が奇数角形で構成されているために対称部分が無く、ボイスコイル８から振動板７に伝播される振動速度が振動板７のどの場所においても一定にはならないため、振動モードも同一にはならないようになる。
【００１７】
従って、分割共振の発生を無くすることができるため、音圧周波数特性の乱れからくる音質の劣化も無くなり、優れた音質の音響再生を行うことができるようになるものである。
【００１８】
なお、このような多角形のボイスコイル８を用いる場合には、磁気回路４に形成される磁気ギャップ５もボイスコイル８の形状に合致した形状にするのが望ましく、また、多角形のボイスコイル８の各コーナー部にＲを設けることによって応力集中を抑制し、ボイスコイル８と振動板７の外れを防止することができ、より高性能で高信頼性のスピーカを提供することができるようになるものである。
【００１９】
（実施の形態２）
以下、実施の形態２を用いて、本発明の特に全請求項に記載の発明について説明する。
【００２０】
本実施の形態は、上記実施の形態１で説明したスピーカのボイスコイルの構成が異なるようにしたものであり、これ以外の構成は実施の形態１と同様であるために同一部分には同一の符号を付与してその詳細な説明は省略し、異なる部分についてのみ以下に図面を用いて説明する。
【００２１】
図３（ａ）、（ｂ）と図４（ａ）、（ｂ）は本発明の実施の形態２によるスピーカに使用されるボイスコイルを振動板に結合した状態を示した平面図であり、図３は同奇数角形のボイスコイルを振動板に結合した状態を示した平面図であり、図３（ａ）は三角形を、図３（ｂ）は七角形を示している。図４は偶数角形のボイスコイルを示しており、図４（ａ）は四角形を、図４（ｂ）は六角形を示している。
【００２２】
このように構成された本実施の形態によるスピーカは、上記実施の形態１によるスピーカと同様に、ボイスコイルを多角形に構成することにより、ボイスコイルから振動板７に伝播される振動速度が振動板７のどの場所においても一定にはならないために振動モードも同一にはならず、従って分割共振の発生を無くすることができるため、音圧周波数特性の乱れからくる音質の劣化も無くなり、優れた音質の音響再生を行うことができるようになるものである。
【００２３】
なお、このような効果は、ボイスコイルの形状を奇数角形にすることにより対称部分が無くなるため、より優れた効果を得ることができるものであるが、ボイスコイルを偶数角形にしても良好な結果が得られるものである。但し、多角形の角数をむやみに多くすると円形に近づいてしまうために効果が低減し、好ましくないものである。
【００２４】
また、本実施の形態においては円形の振動板７を用いた例で説明したが、本発明はこれに限定されるものではなく、矩形、楕円形、トラック形の振動板を用いた場合でも同様の効果が得られるものである。
【産業上の利用可能性】
【００２５】
本発明によるスピーカは、分割共振の発生を抑制して音圧周波数特性を良好にし、優れた音質の音響再生を行うことができるという効果を有し、特に、携帯電話等に適した小型で薄型のスピーカ等として有用である。
【図面の簡単な説明】
【００２６】
【図１】本発明の実施の形態１によるスピーカの構成を示した断面図
【図２】同スピーカに使用されるボイスコイルを振動板に結合した状態を示した平面図
【図３】本発明の実施の形態２によるスピーカに使用される奇数角形のボイスコイルを振動板に結合した状態を示した平面図
【図４】本発明の実施の形態２によるスピーカに使用される偶数角形のボイスコイルを振動板に結合した状態を示した平面図
【図５】（ａ）従来のスピーカの構成を示した平面図、（ｂ）同断面図
【符号の説明】
【００２７】
１  マグネット
２  プレート
３  ヨーク
４  磁気回路
５  磁気ギャップ
６  フレーム
７  振動板
８、９、１０、１１、１２  ボイスコイル
【図１】
2006261737.tif 000003
【図２】
2006261737.tif 000004
【図３】
2006261737.tif 000005
【図４】
2006261737.tif 000006
【図５】
2006261737.tif 000007